(57)【要約】【課題】集水管の目詰まりを防止しつつ、集水管の全長に亘って水を漏出させずに移送すること。【解決手段】軸芯と平行にスリットを形成した管本体と、該管本体のスリットの両側縁から管本体の内側へ向けて延出した一対の起立隔壁とを具備し、前記一対の起立隔壁の間に管本体の内部空間と管外とを連通する向心路を形成し、前記各起立隔壁と管本体との周面間に、前記向心路と連通した側方水路を画成して構成する。【選択図】図１
2010180663.tif 000002
【特許請求の範囲】
【請求項１】
軸芯と平行にスリットを形成した管本体と、
該管本体のスリットの両側縁から管本体の内側へ向けて延出した一対の起立隔壁とを具備し、
前記一対の起立隔壁の間に管本体の内部空間と管外とを連通する帯状の向心路を形成し、
前記各起立隔壁と管本体との周面間に、前記向心路と連通した側方水路を画成して構成する、
集水管。
【請求項２】
請求項１において、前記一対の起立隔壁を管本体の全長に亘って形成した、集水管。
【請求項３】
請求項１または請求項２において、前記向心路の入口にフィルタ機能と補強機能を有する有孔蓋を設置した、集水管。
【発明の詳細な説明】
【技術分野】
【０００１】
本発明は地盤改良や湧水地帯の排水に用いる集水管に関するものである。
【背景技術】
【０００２】
従来、以下のような各種の集水管が提案されているが、それぞれ解決すべき問題点がある。
(１)周面に多数の透孔を形成した集水管の目詰まり防止を図るために、集水管の周囲を各種のフィルタ材で被覆することが知られている。
フィルタ材を外装した集水管にあっては、時間の経過に伴いフィルタ材の目詰まりが進行して集水管の集水性能が徐々に低下していく。
【０００３】
（２）フィルタ材を用いない目詰まり防止手段としては、単位面積当たりの透孔の開口率を特定範囲に限定した集水管（特許文献１）や、管体の軸芯に対して透孔の軸線を傾斜させた集水管（特許文献２）が知られている。
これら特許文献１，２に記載の集水管は管体の全周面に亘って透孔が形成してあるため、管体の全方向から水を取水できるものの、移送中に水が管底部の透孔を通じて漏出してしまい、集水管の全長に亘って水を移送することができない。
【０００４】
（３）図７に示すように、管体ａの上半外周に面状の集水溝ｂと複数の透孔ｃを形成するとともに、管体ａの下半部に無孔構造の水路ｄを形成した集水管が提案されている。
この集水管は面状の集水溝ｂを通じて捕らえた水を、函体ａの側面の透孔ｃへ誘導して管内へ取り込み、管体ａの下半の水路ｄを通じて下流側へ移送する。
この集水管は管体ａの上半部と下半部の外周形状が異なるため製作コストが嵩む問題と、管体ａの上半部の躯体厚が集水溝ｂの形成分だけ下半部より薄くなるため、強度的な弱点となり易いという問題がある。
さらに管体ａの下半部を通じた取水が不能であり、集水方向が管体ａの上半部に限定されるから、全周面に透孔を有する集水管と比べて集水効率が低いといった問題もある。
【０００５】
（４）コストを優先して集水管に塩ビ管を用いると、塩ビ管は鋼管等と比較して強度が小さいため、載荷重により破損したり、経年劣化を起こし易い。
耐久性を優先して集水管に鋼やコンクリート等の高強度素材を用いると、塩ビ管等の低強度素材と比べて、重量増加、コスト高といった問題がある。
このように従来の集水管は耐久性とコストの両立を図ることが技術的に困難であった。
【先行技術文献】
【特許文献】
【０００６】
【特許文献１】特開２００３−２３２０２８公報
【特許文献２】特開２００８−１５７０１６公報
【発明の概要】
【発明が解決しようとする課題】
【０００７】
本発明は以上の点に鑑みてなされたもので、その目的とするところは、つぎの少なくとも一つの集水管を提供することにある。
（１）集水管の目詰まりを防止しつつ、集水管の全長に亘って水を漏出させずに移送すること。
（２）集水管の強度アップおよび低コスト化の両立を図ること。
【課題を解決するための手段】
【０００８】
本発明は、軸芯と平行にスリットを形成した管本体と、該管本体のスリットの両側縁から管本体の内側へ向けて延出した一対の起立隔壁とを具備し、前記一対の起立隔壁の間に管本体の内部空間と管外とを連通する向心路を形成し、前記各起立隔壁と管本体との周面間に、前記向心路と連通した側方水路を画成して構成する集水管を提供する。
前記一対の起立隔壁は管本体の全長に亘って形成する。
さらに前記向心路の入口にフィルタ機能と補強機能を有する有孔蓋を設置してもよい。
【発明の効果】
【０００９】
本発明はつぎの顕著な効果を奏する。
（１）一対の起立隔壁の間に形成した向心路を通じて水を上昇させてから側方水路へ貯留する過程において、水に混入した異物の進入を向心路の入口で阻止するとともに、異物の自重により側方水路への進入を阻止することができる。
さらに集水した水を集水管内に形成された側方水路を経て下流へ排水できる。
したがって、従来のようにフィルタ材を使用せずに、集水管の目詰まりを防止しつつ、集水管の全長に亘って水を漏出させずに移送することが可能となる。
（２）管本体に一体に設けた一対の起立隔壁が集水管の強度を高めるとともに、集水管の断面形状が簡易であるため、集水管の製作が簡単容易である。
したがって、集水管の強度アップと低コスト化の両立を図ることが可能となる。
【図面の簡単な説明】
【００１０】
【図１】本発明の実施例１に係る集水管の斜視図
【図２】地中に埋設した集水管の集水作用を説明するためのモデル図
【図３】集水管の集水作用を説明するためのモデル図
【図４】本発明の実施例２に係る集水管の底部の拡大断面図
【図５】一部を省略した有孔蓋の斜視図
【図６】本発明の実施例３に係る集水管の断面図
【図７】従来の集水管の断面図
【発明を実施するための形態】
【００１１】
以下、図面を参照しながら本発明を実施するための形態について説明する。
【実施例１】
【００１２】
［構成］
【００１３】
（１）集水管
図１，２に本発明の実施例１に係る集水管１０の一例を示す。
集水管１０は軸芯と平行に一つのスリット２１を形成した管本体２０と、該管本体２０のスリット２１の両側縁から管本体２０の内側へ向けて延出した一対の起立隔壁２２，２２とを具備する。
【００１４】
相対向する一対の起立隔壁２２，２２の間には、管本体２０の内部空間と管外とを連通する向心路２３を形成している。
集水管１０は向心路２３を中心として左右対称形であり、しかも躯体の厚さも一定であるから、押出成形に適していて集水管１０の製作が簡単容易である。
【００１５】
集水管１０は、例えば樹脂、鋼、鋳鉄、コンクリート等の公知の素材で製作する。
【００１６】
（２）管本体
管本体２０は断面形状がＣ字形を呈する無孔の筒体であり、その周面の一部に軸芯と平行なスリット２１を形成している。
スリット２１を除いた管本体２０の断面形状は、図示した円形の他に楕円形や角形、或いはこれらの組み合わせた形状であってもよい。
【００１７】
（３）起立隔壁
一対の起立隔壁２２，２２は管本体２０内の下半空間を複数に区画する機能と、管本体２０を補強する機能を有していて、所定の間隔を隔てて相対向して管本体２０の全長に亘って連続して形成される。
【００１８】
各起立隔壁２２と管本体２０との周面間には、側方水路２４，２４を画成するための空間が形成されている。
すなわち、管本体２０内の下半には、その中央に向心路２３を形成し、さらに起立隔壁２２を間に挟み向心路２３の左右両側に側方水路２４，２４を形成している。各側方水路２４，２４は向心路２３を通じて管外と連通している。
向心路２３から側方水路２４へ水が流入する位置（高さ）は、起立隔壁２２の向心方向の長さ（突出長）によって求められるから、集水量等に応じて起立隔壁２２の長さを適宜選択する。
【００１９】
また、管本体２０と一体に設けた一対の起立隔壁２２，２２は、補強リブとしての機能を発揮するから、管本体２０の曲げ強度や引張強度を高めて集水管１０の増強に役立つ。
【００２０】
尚、本例では一対の起立隔壁２２，２２を平板状に形成した場合について示すが、内向き又は外向きに湾曲させて形成してもよく、さらに一対の起立隔壁２２，２２の対向距離が変化するように非平行に形成してもよい。
【００２１】
（４）向心路
向心路２３は管本体２０の軸芯に沿って形成した通水機能と異物のろ過機能を有する帯状の空間である。
本発明に係る集水管１０は、後述するように向心路２３を管本体２０の底部に位置させ、向心路２３を通じて地下水を上昇させて管内に集水するようにした。
【００２２】
本発明が向心路２３を通じて集水するようにしたのは、向心路２３の溝幅以上の大きさの異物の進入を入口で阻止するためと、水の上昇過程において異物の自重を利用して重たい異物を篩い分けて異物の通過を阻止するためである。
したがって、向心路２３の長さ（高さ）が長くなるほど、重たい異物の篩い分けがし易くなる。
【００２３】
また向心路２３は水の進入路としての機能に加えて、両側の側方水路２４と同様に集水した水を貯えて集水管１０の下流側へ移送するはたらきもする。
【００２４】
（５）側方水路
管本体２０の内側に形成した側方水路２４，２４は、向心路２３を通じて管内に取り込んだ水を貯留して排水するための水路で、管本体２０の全長に亘って形成されている。
【００２５】
［作用］
【００２６】
つぎに図２に基づいて集水管１０の作用について説明する。
【００２７】
（１）集水作用
開削工法、又は推進工法により横方向に向けて集水管１０を地中の所定深度にに埋設する。このとき、集水管１０の向心路２３を真下に位置させることが肝要である。
集水管１０の周囲に存在する地下水Ｗは、例えば水頭差Ｈにより集水管１０の底部の向心路２３を通じて緩やかに上昇する。向心路２３の頂部へ達した水は最終的に左右へ振り分けられて各側方水路２４，２４に貯留される。
【００２８】
本例では水頭差Ｈを利用して自然集水する場合について説明するが、地中に圧気をかけたり、或いは地表に載荷重を加えて強制的に集水する場合もある。
【００２９】
（２）異物のろ過作用
向心路２３の底部から地下水Ｗが進入する際、一対の起立隔壁２２，２２がフィルタ機能を発揮して向心路２３の溝幅以上の大きさの土粒等の異物の進入を阻止する。
【００３０】
向心路２３の溝幅より小さな異物は向心路２３を通じて上昇しようとするが、水の上昇流が緩やかなため、異物の自重により降下したり、向心路２３内で浮遊したりして、一対の起立隔壁２２，２２を乗り越えることができない。
そのため、異物を取り除いた水だけが起立隔壁２２，２２の上部を乗り越えることとなりる。
【００３１】
このように本発明に係る集水管１０は従来の集水管のようにフィルタ材を用いたり、或いは透孔の開口寸法を選択したりせずに、簡単に異物をろ過して水だけを側方水路２４，２４へ集めることができる。
【００３２】
（３）水の排水作用
集水管１０内に集めた水は、側方水路２４，２４を通じて下流側へ移送されて排水される。
このとき、向心路２３内に位置する水にも集水管１０の下流側へ向けて緩やかな流れを生じるため、向心路２３も排水路として機能する。
【００３３】
前記した向心路２３のろ過作用により、向心路２３の直下にろ過して分離した土粒等の異物が蓄積することが予想されるが、向心路２３が排水路としても機能するため、ろ過した異物は下流側へ流されて蓄積されることがない。
そのため、集水管１０は向心路２３のろ過作用を半永久的に持続できる。
【００３４】
（４）大量排水
図３は大量の水を含んだ湧水地帯に集水管１０を埋設した場合や、埋設後に豪雨等で地下水位が急激に上昇した場合を示す。
ろ過作用を有する向心路２３を通じて管内に水が取り込まれることは既述したとおりである。
本発明に係る集水管１０は全周面に透孔が存在せずに遮水構造になっている。
そのため、集水管１０内に側方水路２４の水位を超えて大量の水が取水された場合でも、集水管１０の管外へ漏出することなく、大量の水を短時間に排水することが可能となる。最大で、集水管１０の全断面が排水路として機能する。
【実施例２】
【００３５】
以降に他の実施例について説明するが、その説明に際し、前記した実施例と同一の部位は同一の符号を付してその詳しい説明を省略する。
【００３６】
図４，５に向心路２３の下端の入口にフィルタ機能と補強機能を有する有孔蓋３０を設置した他の実施例を示す。
【００３７】
図５に例示した有孔蓋３０について説明すると、有孔蓋３０は互いに平行な一対の基材３１，３１と、基材３１，３１の横断方向に向けて等間隔に設けた複数の補強材３２とよりなり、全体として梯子状の剛性構造体に形成されている。
隣り合う補強材３２と補強材３２の間に開口３３を形成していて、開口３３の寸法を選択することでろ過する異物のサイズを任意に設定することができる。
また図示を省略するが、開口３３にメッシュ状のフィルタを付設してもよい。
有孔蓋３０はその基材３１，３１を向心路２３の下端両側に凹設した溝に収容可能になっている。
【００３８】
本実施例にあっては、向心路２３の下端の入口に有孔蓋３０を設置するだけで、向心路２３の溝幅より小さいサイズの異物の進入を阻止できるだけでなく、有孔蓋３０が管本体２０のスリット２１を閉鎖して補強するので、集水管１０全体の強度アップを図ることができるという利点が得られる。
【実施例３】
【００３９】
図６に一対の起立隔壁２２ａ，２２ｂの延出長を互いに異ならせてた他の実施例を示す。
本実施例のように一対の起立隔壁２２ａ，２２ｂの延出長を変えると、各起立隔壁２２ａ，２２ｂで画成される各側方水路２４ａ，２４ｂの貯留量が異なるだけでなく、向心路２３を通じて集水される水量に応じて、各側方水路２４ａ，２４ｂへ段階的に水を振り分けることができる。
【００４０】
すなわち、向心路２３を通じて上昇してくる水を延出長の短い起立隔壁２２ａ側（図面の右方）の側方水路２４ａに優先的に貯留し、側方水路２４ａが満水を越えて大量の水が上昇したときにはじめて延出長の長い起立隔壁２２ｂ側（図面の左方）の側方水路２４ｂへ水を貯留することができる。
【実施例４】
【００４１】
以上は地中に埋設した集水管１０を使用して、地中の水を集水して外部へ排水する場合について説明したが、反対に外部から集水管１０内へ供給した水を地中へ浸透する用途に使用することも可能である。
集水管１０から地中へ浸透させるときの水の流れは、既述した実施例１の逆方向となるだけであるから、その詳しい説明を省略する。
【符号の説明】
【００４２】
１０・・・集水管
２０・・・管本体
２２・・・起立隔壁
２３・・・向心路
２４・・・側方水路
【図１】
2010180663.tif 000003
【図２】
2010180663.tif 000004
【図３】
2010180663.tif 000005
【図４】
2010180663.tif 000006
【図５】
2010180663.tif 000007
【図６】
2010180663.tif 000008
【図７】
2010180663.tif 000009